(57)【要約】      （修正有）【課題】ドアの手摺を患者等が接触している場合に、開放位置のどのような位置でも良好に動作し、床に傷もつけることなく扉の開放を制限する手摺付扉の開閉制限装置を提供する。【解決手段】手摺付扉１００の開閉制限装置は、手摺１１０に取り付ける又は取り付いた可動部１２０と、扉１００の動きを決める上框１３０Ａ又は下框１３０Ｂに接触して扉１００の摺動を可能又は制限する制動部１４０と、可動部１２０に人手が触れたことによる可動部１２０の動きを伝える伝達部１５０とを有する。【選択図】図１
2018178569.tif 000002
【特許請求の範囲】
【請求項１】
横方向に摺動することで開閉に供する扉に付設される手摺に取り付けて、前記手摺に人手が触れた場合に前記扉が前記摺動することを制限するものであって、
前記手摺に取り付ける又は取り付いた可動部と、前記扉の動きを決める上框又は下框に接触して前記扉の前記摺動を可能又は制限する制動部と、前記可動部に前記人手が触れたことによる前記可動部の動きを伝える伝達部と、を有することで、前記手摺に前記人手が触れた場合に前記制動部を駆動して、前記扉の前記摺動を制限することを特徴とする手摺付扉の開閉制限装置。
【請求項２】
前記手摺は、前記扉に固定的に取り付ける取付基体を有し、前記可動部は前記取付基体に対して上下動又は回転動をすることを特徴とする請求項１記載の手摺付扉の開閉制限装置。
【請求項３】
前記制動部は、前記伝達部を介して前記可動部の動きを伝えられ、且つ、前記上框又は前記下框に接触する接触部を備えられることを特徴とする請求項１又は請求項２記載の手摺付扉の開閉制限装置。
【請求項４】
前記接触部は、前記上框又は前記下框に接触して回転する車輪と、前記車輪と一体に動く接触制動部とを有し、前記伝達部を介した前記可動部の動きにより前記接触制動部に制動がかかることを特徴とする請求項３記載の手摺付扉の開閉制限装置。
【請求項５】
前記可動部又は前記伝達部に、前記手摺への前記人手がどの位置に手を掛けても前記制動部を有効に動作させる手掛位置有効手段を備え、前記手掛位置有効手段は、
前記可動部の左右の端のいずれかをつるワイヤを滑車を介して他端に導き、前記他端において、他端をつるワイヤと一緒に前記制動部を駆動するか、又は、
前記可動部の両端側に対応して、各々、前記伝達部と前記制動部を設けたことを特徴とする請求項１から請求項４のいずれか１つに記載の手摺付扉の開閉制限装置。
【発明の詳細な説明】
【技術分野】
【０００１】
本発明は、手摺に接触している場合に、医療施設、介護施設等の手摺付扉の開閉制限をすることで転倒事故防止を図る手摺付扉の開閉制限装置に関するものである。
【背景技術】
【０００２】
手摺付扉の開閉制限をする装置として、図５に示すように、特許文献１と特許文献２に先行技術を見ることができる。特許文献１の技術は、５−Ａに示されている。
扉に水平に渡された手摺は、稼働手摺となっていて、患者等が接触時に通常状態から動くようになっている。稼働手摺の延長上の壁には固定手摺があり、通常時に扉を移動しても、稼働手摺は固定手摺に当たらずに移動できる。患者が稼働手摺を通常時から動かした状態では、扉を開くときに稼働手摺は固定手摺に当たり、扉が開けない。極めて単純な構成であり好ましいが、一旦、扉を少し開いて、稼働手摺が固定手摺に当たらない状態にあっては、その後に、稼働手摺は動かせない。そのため、患者が手すりに触っても、容易に扉は開いてしまうという欠点がある。
特許文献２の技術は、５−Ｂに示されている。ここでは、手すりは水平になく、垂直方向にあるので、患者等が触れる手すりではないが、垂直方向の手摺は上下に動く（回転して）ことができ、動くと、手摺の棒の先端が床に接触して、扉の移動を制限する。
これの欠点は、扉の移動を制限するために、手摺の棒が頑丈な強度が必要であることと、人目に目立つ床に傷がついてしまうことである。
【先行技術文献】
【特許文献】
【０００３】
【特許文献１】特許第３６３８０８２号
【特許文献２】特開２０１４−２９０８３
【発明の概要】
【発明が解決しようとする課題】
【０００４】
このような背景の中で、ドアの手摺を患者等が接触している場合に、開放位置のどのような位置でも良好に動作し、床に傷もつけることなく扉の開放を制限する手摺付扉の開閉制限装置が必要になった。
【課題を解決するための手段】
【０００５】
請求項１記載の発明は、手摺付扉の開閉制限装置であって、
横方向に摺動することで開閉に供する扉に付設される手摺に取り付けて、前記手摺に人手が触れた場合に前記扉が前記摺動することを制限するものであって、
前記手摺に取り付ける又は取り付いた可動部と、前記扉の動きを決める上框又は下框に接触して前記扉の前記摺動を可能又は制限する制動部と、前記可動部に前記人手が触れたことによる前記可動部の動きを伝える伝達部と、を有することで、前記手摺に前記人手が触れた場合に前記制動部を駆動して、前記扉の前記摺動を制限することを特徴とする。
【０００６】
請求項２記載の発明は、請求項１記載の手摺付扉の開閉制限装置において、
前記手摺は、前記扉に固定的に取り付ける取付基体を有し、前記可動部は前記取付基体に対して上下動又は回転動をすることを特徴とする。
【０００７】
請求項３記載の発明は、請求項１又は請求項２記載の手摺付扉の開閉制限装置において、
前記制動部は、前記伝達部を介して前記可動部の動きを伝えられ、且つ、前記上框又は前記下框に接触する接触部を備えられることを特徴とする。
【０００８】
請求項４記載の発明は、請求項３記載の手摺付扉の開閉制限装置において、
前記接触部は、前記上框又は前記下框に接触して回転する車輪と、前記車輪と一体に動く接触制動部とを有し、前記伝達部を介した前記可動部の動きにより前記接触制動部に制動がかかることを特徴とする。
【０００９】
請求項５記載の発明は、請求項１から請求項４のいずれか１つに記載の手摺付扉の開閉制限装置において、
前記可動部又は前記伝達部に、前記手摺への前記人手がどの位置に手を掛けても前記制動部を有効に動作させる手掛位置有効手段を備え、前記手掛位置有効手段は、
前記可動部の左右の端のいずれかをつるワイヤを滑車を介して他端に導き、前記他端において、他端をつるワイヤと一緒に前記制動部を駆動するか、又は、
前記可動部の両端側に対応して、各々、前記伝達部と前記制動部を設けたことを特徴とする。
【発明の効果】
【００１０】
以上の様に構成されているので、本発明によれば、扉に水平に敷設された手摺に患者等がすがって移動するときに、扉のどのような位置でも、手摺又は、これについた可動部の動きを伝達部を介して制動部に伝え、床等に傷をつけることもなく扉の移動を止める等の制限を掛け患者等の転倒が防止される。
【図面の簡単な説明】
【００１１】
【図１】本発明にかかる手摺付扉の開閉制限装置の一実施態様を示す図である。
【図２】本発明にかかる手摺付扉の開閉制限装置の手摺部の一実施態様を示す図である。
【図３】本発明にかかる手摺付扉の開閉制限装置の制動部の一実施態様を示す図である。
【図４】本発明にかかる手摺付扉の開閉制限装置の手摺部可動機構の一実施態様を示す図である。
【図５】従来の扉の開閉制限装置の例を示す図である。
【発明を実施するための形態】
【００１２】
本発明にかかる手摺付扉の開閉制限装置は、横方向に摺動することで開閉に供する扉に付設される手摺に取り付けて、手摺に人手が触れた場合に扉が摺動することを制限するものであって、手摺に取り付ける又は取り付いた可動部と、扉の動きを決める上框又は下框に接触して扉の摺動を可能又は制限する制動部と、可動部に人手が触れたことによる可動部の動きを伝える伝達部とを有する。
以下図に沿って説明する。
【００１３】
図１は、本発明にかかる手摺付扉の開閉制限装置の一実施態様を示す図である。
本発明にかかる手摺付扉の開閉制限装置は、横方向に摺動することで開閉に供する扉１００に水平に付設される手摺１１０に取り付いた可動部１２０と、上框１３０Ａ又は下框１３０Ｂに接触して扉１００の水平移動を可能又は制限する制動部１４０と、制動部１４０に手摺１１０の可動部１２０の動きを伝える伝達部１５０と、を備え、
患者等が手摺１１０に掴まった時に可動部１２０が動き、伝達部１５０を介して制動部１４０を駆動して、扉１００の水平移動を制限する。
【００１４】
図２は、本発明にかかる手摺付扉の開閉制限装置の手摺部の一実施態様を示す図である。
手摺部は、手摺１１０と可動部１２０を備えている。２−Ａから２−Ｄに扉１００に付いた手摺部の例を示す。２−Ａでは、扉１００に手摺１１０が固定され、手摺１１０に可動部１２０が取りついている。可動部１２０の取付基体１２１に対して、可動体１２２が上下に可動できるようになっている。可動体１２２と取付基体１２１間にはバネ等１２３で付勢され、人の手で押されないときは、上に上がっている。人の手がかかると下側に押されるため、可動部１２０は下に動くことになる。取付基体１２１に被るように可動体１２２が構成されているが、２−Ｂでは、取付基体１２１に嵌るように可動体１２２が構成されている。２−Ｃでは、可動部１２０の取付基体１２１が扉１００に固定され、取付基体１２１に可動体１２２に嵌る構成になっている。可動体１２２と取付基体１２１間にはバネ等の復元体１２３で付勢されていることは同じである。取付基体１２１に被るように可動体１２２が構成も可能である。
２−Ｄでは、扉１００に手摺１１０が固定され、手摺１１０に可動部１２０が取りついている。可動部１２０の取付基体１２１に対して、可動体１２２が回転する向きに可動できるようになっている。可動体１２２と取付基体１２１間には逆回転の向きに回転バネ等１２３で付勢されている。いずれの例も、手摺１１０又は可動部１２０の可動体１２２の患者等が手を触れて掴まった状態では、可動体１２２が下に動き、又は回転する。
【００１５】
図３は、本発明にかかる手摺付扉の開閉制限装置の制動部の一実施態様を示す図である。
３−Ａでは、図１に使用した制動部１４０を拡大して示したものである。扉１００の上端又は下端にネジ等で取り付ける。制動部１４０は、取付板１４１とこれに回転可能に軸支されてた回転片１４２を備え、回転片１４２と取付板１４１との間には、バネ等の復元体１２３で付勢されている。回転片１４２の先端には、接触したときに摩擦や引っ掛かりにより扉１００の移動を制限する接触部１４４を備えている。回転片１４２の他の先端は、伝達部１５０のワイヤ等と結ばれる。従って、伝達部１５０のワイヤ等が、可動部１２０の移動で引かれると、回転片１４２が動き、接触部１４４が上框又は下框に接触して、扉１００の水平移動が制限される。
３−Ｂでは、扉に取り付けられる取付板１４１と、この長さ方向に滑動可能に取りついた可動片１４２Ｂと、可動片１４２Ｂに取りついていて、伝達部１５０に繋がる可動片１４２Ａと、取付板１４１と可動片１４２Ｂの間に取りついて可動片１４２Ｂを付勢するバネ等の復元体１２３と、可動片１４２Ｂの先端には接触部１４４と、を備えている。伝達部１５０のワイヤ等を引くと可動片１４２Ｂが図の上方向に移動して接触部１４４が上框又は下框に接触して、扉１００の水平移動が制限される。３−Ａと３−Ｂでは、接触部１４４は、回転しないものである。これに対して、３−Ｃと３−Ｄの接触部は、上框又は下框に常に接触して回転するものである。違いは、回転自体が制限を受けることである。
３−Ｃでは、３−Ａと３−Ｂは平面図のみで示したが、３−Ｃでは、左に平面図、右に側面図で示している。
【００１６】
３−Ｃでは、扉に取り付けられる取付板１４１と、この長さ方向に滑動可能に取りついた可動片１４２Ｂと、可動片１４２Ｂに取りついていて、伝達部１５０に繋がる可動片１４２Ａと、取付板１４１と可動片１４２Ｂの間に取りついて可動片１４２Ｂを付勢するバネ等の復元体１２３と、取付板１４１の長手方向の先端に回転可能に取りついた接触部１４４と、を備え、接触部１４４は、上框または下框に載って回転する車輪１４４Ｂとこれに一体になったブレーキパッド１４４Ａを備え、伝達部１５０のワイヤ等を引くと、可動片１４２Ａと可動片１４２Ｂを介して、可動片１４２Ｂに取りついた接触片１４２Ｃが、動くことでブレーキパッド１４４Ａに接触し、車輪１４４Ｂの回転を制限することで、扉の移動を制限する。この図では、ブレーキパッド１４４Ａのところは、ギザギザの歯車の形状で書いてあるが、これにこだわらず、ゴム車輪など接触制動部があればよい。
【００１７】
３−Ｄでは、
扉に取り付けられる取付板１４１と、これに回転可能に取りついた可動片１４２と、回転片１４２と取付板１４１との間に取り付けられたバネ等の復元体１２３と、取付板１４１の長手方向の先端に回転可能に取りついた接触部１４４と、を備え、接触部１４４は、上框または下框に載って回転する車輪１４４Ｂとこれに一体になったブレーキパッド１４４Ａを備え、伝達部１５０のワイヤ等を引くと、回転片１４２の先端が、ブレーキパッド１４４Ａに接触し、車輪１４４Ｂの回転を制限することで、扉の移動を制限する。この図では、ブレーキパッド１４４Ａのところは、回転片１４２の先端が嵌る多数の穴の形状で書いてあるが、これにこだわらず、ゴム車輪などブレーキ作用があればよい。尚、取付板１４１は、必ずしも板状態にこだわるものでは無く、取り付けるための基体であればよい。
【００１８】
図４は、本発明にかかる手摺付扉の開閉制限装置の手摺部可動機構の一実施態様を示す図である。
扉に１１０水平に取り付けられた手摺１１０を患者等が手をかけて移動する場合、どの位置に手をかけても、可動部１２０が同じな移動量であることが望ましい。左端と右端で移動量に差がありすぎると、一方では十分な制限機能が働かないことになるからである。
図４の４−Ａでの手段は、右端でも左端でも同じ移動量の動きが伝達部１５０のワイヤ等に伝えられるものである。可動部１２０が手摺１１０に取りついていて、可動部１２０が動くものを例に示すが、図２に示したどの図に示すものでも同じである。可動部１２０の右側端をつるワイヤは、滑車４０１を介して左側端に導かれ、もう一つの滑車４０１を介して左上に導かれている。他方、可動部１２０の左側端をつるワイヤは、図のように右側端から来たワイヤと上方で一体に連結されている。このようになっているので、右側端、左側端のいずれの側で可動部１２０が移動しても同じだけ伝達部１５０のワイヤ等が移動することができる。尚、滑車４０１は、扉１００に回転自在に付設されている。滑車４０１、ワイヤ、伝達部１５０等は、図示しないカバー内に収納されていることが望ましいのは当然である。滑車４０１を可動部１２０の付近に付けたが、伝達部１５０を各々立ち上げ、可動部１２０から離れて制動部１４０の近くに付けることも可能である。この場合制動部１４０は一つでよい。
更に、４−Ｂのように、可動部１２０の両側に対応して、伝達部１５０、制動部１４０を対で設置すれば、いずれの側が動いても扉に制動がかかる。例えば、手摺１１０の途中の辺りで可動部１２０が動けば、右側端と左側端のいずれかは同じ移動量か、それ以上になっている。
これは、水平では、同じ移動量、斜めであれば、押されている位置を跨いで一方は大きく、他方は小さい移動量となるためである。そのため、少なくともどちらかで制動がかかる利点がある。このように、手摺への手がけ位置がどの位置にあっても有効に制動部を働かせる手掛位置有効手段は、実際の使用で好都合である。
【産業上の利用可能性】
【００１９】
以上のように本発明にかかる手摺付扉の開閉制限装置は、扉に水平に敷設された手摺に患者等がすがって移動するときに、扉のどのような位置でも、手摺又は、これについた可動部の動きを伝達部を介して制動部に伝え、床等に傷をつけることもなく扉の移動を止める等の制限を掛け患者等の転倒が防止されるので産業上利用して極めて好都合である。
【符号の説明】
【００２０】
１００  扉
１１０  手摺
１２０  可動部
１２１  取付基体
１２２  可動体
１２３  復元体
１３０Ａ  上框
１３０Ｂ  下框
１４０  制動部
１４１  取付板
１４２  回転片
１４２Ａ、１４２Ｂ  可動片
１４４  接触部
１４４Ａ  ブレーキパッド
１４４Ｂ  車輪
１５０  伝達部
【図１】
2018178569.tif 000003
【図２】
2018178569.tif 000004
【図３】
2018178569.tif 000005
【図４】
2018178569.tif 000006
【図５】
2018178569.tif 000007